(57)【要約】本発明は、アバットメントとジルコニアキャップとの間の強固な締結構造を有するインプラント装置に関するものである。  本発明は、歯を失った部位の歯槽骨に固定されるフィクスチャーと、前記フィクスチャーの上部に結合され、外周面に円形の結合突起を有するアバットメントと、前記アバットメントの結合突起に対応する結合凹溝を内周面に具備して、前記アバットメントの外周面を覆うように固定結合するためのジルコニアキャップと、前記アバットメントが結合されたジルコニアキャップを前記フィクスチャーに固定するための固定ねじと、前記ジルコニアキャップの上部に固定結合される人工歯冠と、を含む。【選択図】図３
2013501600.tif 000002
【特許請求の範囲】
【請求項１】
歯を失った部位の歯槽骨に固定されるフィクスチャーと、
前記フィクスチャーの上部に結合され、外周面に円形の結合突起を有するアバットメントと、
前記アバットメントの結合突起に対応する結合凹溝を内周面に具備して、前記アバットメントの外周面を覆うように固定結合するためのジルコニアキャップと、
前記アバットメントが結合されたジルコニアキャップを前記フィクスチャーに固定するための固定ねじと、
前記ジルコニアキャップの上部に固定結合される人工歯冠と、を含むことを特徴とするインプラント装置。
【請求項２】
前記ジルコニアキャップの結合凹溝は、前記ジルコニアキャップの長さ方向に沿ってその内周面に形成された第１凹溝と、第１凹溝から延長されて、ジルコニアキャップの内周面に円周方向に沿って形成された第２凹溝と、を含むことを特徴とする、請求項１に記載のインプラント装置。
【請求項３】
前記ジルコニアキャップは、結合凹溝と同一の形状の加工穴を有する加工ジグと、前記加工穴に沿って移動して結合凹溝を形成するボールエンドミルによって加工されることを特徴とする、請求項２に記載のインプラント装置。
【請求項４】
前記加工穴は、前記ジルコニアキャップの第１凹溝に対応する第１加工穴と、前記ジルコニアキャップの第２凹溝に対応する第２加工穴と、からなることを特徴とする、請求項３に記載のインプラント装置。
【請求項５】
前記アバットメントは、実際に円筒形状のボディーの内部に前記固定ねじが貫通されるホールと、長さ方向に対して垂直に外周面に沿って同一の間隔で突出形成されたジルコニアギャップ結合部と、前記ジルコニアギャップ結合部の先端部から中心部に向かって傾斜するように形成されたフィクスチャー結合部と、を含むことを特徴とする、請求項１に記載のインプラント装置。
【発明の詳細な説明】
【技術分野】
【０００１】
本発明は、歯科治療時に使用されるインプラント（ｉｍｐｌａｎｔ）に係り、インプラントに使用されるアバットメント（ａｂｕｔｍｅｎｔ）とジルコニア（ｚｉｒｃｏｎｉａ）キャップ（ｃａｐ）との間の強固な締結構造を有するインプラント装置に関するものである。
【背景技術】
【０００２】
一般に、インプラントは、失った歯に代わるために使用される人工歯の手術に使われるものであって、既存の補綴物や入れ歯とは異なり、周辺の歯牙組織に損傷を与えずに、その機能や形状が自然歯に類似し且つ比較的長寿命を有しているので、現在、注目を集めている先端手術である。
【０００３】
このようなインプラントは、歯を失った部位の歯槽骨に埋植されるねじ線からなっているフィクスチャー（Ｆｉｘｔｕｒｅ）と、前記フィクスチャーの上側に結合され、人工歯冠（ｃｒｏｗｎ）を外観にかぶせるための柱として使用されるアバットメントと、前記アバットメントによって口腔内に固定されて、自然歯と同一の形状及び機能を再現する人工歯冠と、からなる。
【０００４】
図１は、このような従来のインプラントを説明するための断面図である。  
図１を参照すると、従来のインプラント１００は、フィクスチャー１１０、アバットメント１２０及びスクリュー１３０を含んで構成され、人工歯冠はアバットメントの上部に嵌合されるが、図示されていない。
【０００５】
フィクスチャー１１０は、歯槽骨に挿入されてねじ結合するように、長さ方向と垂直にねじ山１１２が突出形成される。そして、前記フィクスチャー１１０の上部にはアバットメント結合部１１４が形成される。
【０００６】
アバットメント１２０は、その下端がフィクスチャー１１０のアバットメント結合部１１４に位置し及び挿入結合され、内部は人工歯冠（図示せず）が挿入固定されるように中空として形成される。
【０００７】
スクリュー１３０は、アバットメント１２０を貫通してフィクスチャー１１０に締結されるものであって、スクリュー１３０がアバットメント１２０の下端部を貫通し及びフィクスチャー１１０の上端部に挿入締結されるようにして、アバットメント１２０がフィクスチャー１１０に固定されるようにする。
【０００８】
このように構成されるインプラント１００のフィクスチャー１１０は、被施術者の歯槽骨に埋植された状態で時間が経過すると、歯槽骨の造骨細胞が前記ねじ山１１２にくっついて骨癒着が進み、歯槽骨に固定される。
【０００９】
従来のインプラントは、歯の損傷時にその損傷された歯の上面を削った後、金属材質のキャップ（図示せず）をかぶせて人工歯冠を修復する。このとき、歯の外に見える金属材質のため治療歯及び歯肉の審美性が悪いという短所があった。
【００１０】
したがって、インプラントの手術後に審美性を考慮して、最近、金属材質のキャップに代わって歯の色に類似したジルコニアキャップを使用している趨勢である。
【００１１】
図２は、このようなジルコニアキャップを使用したインプラント装置を説明するための断面図である。
【００１２】
図２を参考すると、インプラント装置２００は、患者の歯槽骨にフィクスチャー２１０を埋め込み、その上部にアバットメント２２０を配置した後、ジルコニアキャップ２４０をかぶせる。そして、フィクスチャー２１０と上部アバットメント２２０とジルコニアキャップ２４０とを結合するために、チタン合金材質の固定ねじ２３０を用いて固定する。
【００１３】
このようにして、固定ねじ２３０によってアバットメント２２０及びジルコニアキャップ２４０がフィクスチャー２１０に固定が完了されると、ジルコニアキャップ２４０の上部に人工歯冠２５０であるクラウンを修復することになる。
【００１４】
前述したインプラント手術では、アバットメント２２０上にジルコニアキャップ２４０をかぶせるために、アバットメント２２０とジルコニアキャップ２４０との間に接着剤を使用して付着した。
【００１５】
前記アバットメント２２０が金属材質であるので、その特性上、接着剤による接着が容易でなく、それによって、ジルコニアキャップ２４０が強固に付着されないという問題点があった。
【００１６】
したがって、最終的にインプラント手術が完了したあとに反復的な咀嚼作用によって、強固で且つ安定した締結状態を維持することができないという問題点があった。
【発明の概要】
【発明が解決しようとする課題】
【００１７】
したがって、本発明の目的は、インプラントの手術時にアバットメントに結合突起を形成し、ジルコニアキャップの内周面に結合凹溝を形成して強固に結合することのできる、インプラント装置を提供することにある。
【００１８】
本発明の他の目的は、アバットメントとジルコニアキャップとが強固に締結されるので、最終的に人工歯冠と結合して反復的な咀嚼作用をしても安定した締結状態を維持することのできる、インプラント装置を提供することにある。
【課題を解決するための手段】
【００１９】
上記のような目的を達成するために、本発明の一態様によるインプラント装置は、歯を失った部位の歯槽骨に固定されるフィクスチャーと、前記フィクスチャーの上部に結合され、外周面に円形の結合突起を有するアバットメントと、前記アバットメントの結合突起に対応する結合凹溝を内周面に具備して、前記アバットメントの外周面を覆うように固定結合するためのジルコニアキャップと、前記アバットメントが結合されたジルコニアキャップを前記フィクスチャーに固定するための固定ねじと、前記ジルコニアキャップの上部に固定結合される人工歯冠と、を含むことを特徴とするインプラント装置を提供する。
【００２０】
前記ジルコニアキャップの結合凹溝は、内周面に長さ方向に沿って形成された第１凹溝と、前記第１凹溝から折れ曲がって形成された第２凹溝とを含む。
【００２１】
前記ジルコニアキャップは、結合凹溝と同一の形状の加工穴を有する加工ジグと、前記加工穴に沿って移動して結合凹溝を形成するボールエンドミルによって加工される。
【００２２】
前記加工穴は、前記ジルコニアキャップの第１凹溝に対応する第１加工穴と、前記ジルコニアキャップの第２凹溝に対応する第２加工穴と、からなる。
【００２３】
前記アバットメントは、略円筒形状のボディーの内部に前記固定ねじが貫通されるホールと、長さ方向に対して垂直に外周面に沿って同一の間隔で突出形成されたジルコニアギャップ結合部と、前記ジルコニアギャップ結合部の先端部から中心部に向かって傾斜するように形成されたフィクスチャー結合部と、を含む。
【発明の効果】
【００２４】
したがって、本発明においては、ジルコニアキャップをアバットメントと結合させてインプラント手術が可能であるので、審美的な効果と共に、ジルコニアキャップとアバットメントとの間の締結構造を強固にすることができる効果を提供する。
【００２５】
また、本発明においては、アバットメントとジルコニアキャップとの間の締結状態が強固になるので、最終的に人工歯冠と結合して長い間咀嚼作用をしても安定した状態を維持することができて、インプラント手術の効果を増進させることができる。
【図面の簡単な説明】
【００２６】
【図１】一般的なインプラントを説明するための断面図である。
【図２】従来のジルコニアキャップを使用したインプラントを説明するための断面図である。
【図３】本発明の一実施例によるインプラント装置を説明するための分解斜視図である。
【図４】本発明の一実施例によるインプラント装置を説明するための斜視図である。
【図５】本発明によるアバットメントを示す斜視図である。
【図６】本発明によるジルコニアキャップを示す斜視図である。
【図７】本発明によるジルコニアキャップを示す部分断面図である。
【図８】本発明によるジルコニアキャップを加工するための加工ジグを示す斜視図である。
【図９】図８の加工ジグによって加工されるジルコニアキャップを説明するための参考図である。
【図１０】図８の加工ジグによって加工されるジルコニアキャップを説明するための参考図である。
【発明を実施するための形態】
【００２７】
以下、添付の図３乃至図８を参照して、本発明の好ましい実施例について詳細に説明する。  
図３及び図４は、本発明の一実施例によるインプラント装置を説明するための分解斜視図及び斜視図である。
【００２８】
図３を参考すると、インプラント装置１は、歯槽骨に固定されるフィクスチャー１０と、外周面に円形の結合突起２４を有するアバットメント２０と、前記アバットメント２０の結合突起に対応する結合凹溝を内周面に具備して、前記アバットメント２０と結合するためのジルコニアキャップ３０と、固定ねじ４０と、人工歯冠５０と、からなる。
【００２９】
アバットメント２０は、略円筒形状で中空を有し、外周面に円形の結合突起２４を形成する。
【００３０】
アバットメント２０の外周面を覆うように結合されるジルコニアキャップ３０は、内部に円筒形状の溝を有し、その溝の内周面には結合凹溝（図７の参照符号３２を参考）を形成する。ジルコニアキャップ３０は、内周面を略円筒形状で形成して、内部にアバットメント２０が挿入されて締結されるようにし、その外部の上側は人工歯冠５０が締結され得る形状からなる。
【００３１】
上記のように構成されたインプラント装置１は、アバットメント２０の円形の結合突起２４をジルコニアキャップ３０の内周の結合凹溝に締結した状態で一体化して、歯槽骨に埋め込まれたフィクスチャー１０の上部に配置し、固定ねじ４０によって固定させる。
【００３２】
そうすると、図４に示したように、人工歯冠５０をかぶせる前の状態のインプラント装置１が完成する。すなわち、歯槽骨に埋め込まれるフィクスチャー１０と、内部に固定ねじ４０によって固定されたアバットメント２０を挿入したジルコニアキャップ３０とが結合された状態で完成される。
【００３３】
以下、アバットメント２０とジルコニアキャップ３０との締結構造について、図５及び図６を参考にしてより詳細に説明する。
【００３４】
図５は、本発明によるアバットメントを示す斜視図である。
【００３５】
図５を参考すると、アバットメント２０は、略円筒形状のボディー２１の内部に固定ねじ４０が貫通されるホール２２を有し、外周面には円形の結合突起２４が形成される。また、アバットメント２０は、長さ方向に対して垂直に外周面に沿って同一の間隔で突出形成されたジルコニアギャップ結合部２３を形成し、その先端部から中心部に向かって傾斜するように形成されたフィクスチャー結合部２５を形成する。
【００３６】
ジルコニアギャップ結合部２３は、ジルコニアキャップ３０が上部に嵌合されて安着される部分であり、フィクスチャー結合部２５は、下部にフィクスチャー１０が嵌合されて安着される部分である。
【００３７】
また、アバットメント２０は、ボディー２１の外周を覆うジルコニアキャップ３０を上部に嵌合するとき、結合突起２４がジルコニアキャップ３０の内周面に沿って形成された結合凹溝３２によって締結される。したがって、アバットメント２０とジルコニアキャップ３０は、結合突起２４及び結合凹溝３２によって締結されて強固な結合が維持されることができる。
【００３８】
前述した結合凹溝３２を有するジルコニアキャップ３０は、図６及び図７に示す。
【００３９】
図６は、本発明によるジルコニアキャップを示す斜視図であり、図７は、図６のＡ−Ａ’の部分断面図である。
【００４０】
図６及び図７を参考すると、ジルコニアキャップ３０は、上部に結合される人工歯冠５０の形状に類似するように加工する以前の円筒形状のボディー３１の内周面３３に形成された結合凹溝３２を具備する。結合凹溝３２は、ジルコニアキャップ３０の長さ方向に沿ってその内周面３３に形成された第１凹溝３２ａと、第１凹溝３２ａから延長されて、ジルコニアキャップ３０の内周面３３に円周方向に沿って形成された第２凹溝３２ｂと、からなる。
【００４１】
上記図５に示したアバットメント２０がジルコニアキャップ３０の内部に挿入されるとき、アバットメント２０の結合突起２４は、ジルコニアキャップ３０の第１凹溝３２ａに沿って上部に移動して第２凹溝３２ｂへ案内される。このようにして、アバットメント２０の結合突起２４がジルコニアキャップ３０の第２凹溝３２ｂに安着固定されると、二つの間の結合力によって強固に結合される。
【００４２】
前記ジルコニアキャップ３０の内周面に結合凹溝を形成するためには、図８に示したような加工ジグを用いる。
【００４３】
図８は、本発明によるジルコニアキャップを加工するための加工ジグを示す斜視図である。
【００４４】
図８を参考すると、加工ジグ６０は金属材質の略円筒形状からなる中空６３を有し、上記図６に示したジルコニアキャップ３０の内周面に沿って挿入されて結合凹溝３２を加工することができるように、ジルコニアキャップ３０より相対的に小さな径の中空６３を有する。
【００４５】
また、加工ジグ６０は、ジルコニアキャップ３０の結合凹溝３２を形成できるように同一の形状の加工穴６１を有し、加工穴６１は、ジルコニアキャップ３０の第１凹溝３２ａに対応される第１加工穴６１ａと、ジルコニアキャップ３０の第２凹溝３２ｂに対応される第２加工穴６１ｂと、からなる。
【００４６】
図９及び図１０は、図８の加工ジグによって加工されるジルコニアキャップを説明するための参考図である。
【００４７】
図９を参考すると、ジルコニアキャップ３０の結合凹溝３２を形成するために内周面３３に沿って加工ジグ６０を挿入する。加工ジグ６０がジルコニアキャップ３０に挿入された状態で、加工ジグ６０に形成された加工穴６１に沿って円形のボールエンドミル７０を使用して、ジルコニアキャップ３０の内周面に結合凹溝３２を加工する。
【００４８】
結合凹溝３２が加工された状態は、図１０に示したように、加工穴６１と同一の外形に沿ってジルコニアキャップ３０の内周面に結合凹溝３２が形成される。
【００４９】
ここで、ジルコニアキャップ３０は、結合凹溝３２を加工した後に焼結過程を経ると収縮されるので、その収縮率に比例して拡大加工しなければならず、結合凹溝３２もアバットメント２０の結合突起２４の径よりも大きいように拡大加工しなければならない。したがって、ボールエンドミル７０の径も拡大加工が可能なように、結合突起２４の径よりも大きくなければならない。
【００５０】
このようにしてアバットメントに結合突起を形成し、ジルコニアキャップの内周面に結合凹溝を形成して、アバットメントとジルコニアキャップとが強固に締結されるので、人工歯冠と最終的に結合して反復的な咀嚼作用をしても、安定した締結状態を維持することができる。
【産業上の利用可能性】
【００５１】
本発明は、歯科手術に用いられるインプラント装置において各構成間の結合に使用され、強固な結合が要求される締結構造に多様に使用することができる。
【図１】
2013501600.tif 000003
【図２】
2013501600.tif 000004
【図３】
2013501600.tif 000005
【図４】
2013501600.tif 000006
【図５】
2013501600.tif 000007
【図６】
2013501600.tif 000008
【図７】
2013501600.tif 000009
【図８】
2013501600.tif 000010
【図９】
2013501600.tif 000011
【図１０】
2013501600.tif 000012
【国際調査報告】
2013501600.tif 000013
2013501600.tif 000014
2013501600.tif 000015
2013501600.tif 000016